(57)【要約】  専用のビス孔を形成したり、特別な作業を必要とすることなく、面材脱落防止具を断熱障子に簡単に取り付ける。【課題】  室外側の金属製框材(30)と室内側の金属製框材(31)とを断熱材(32)(33)を介して連結してなる複数の断熱框(22)(23)(24)…を方形枠状に組み付けた障子枠(20)内に、面材(21)を嵌め込んで構成した断熱障子において、室外側の金属製框材(30)(30)…に、その長手方向に沿って形成したビスホール(35)の端部への組み付け用ビス(38)のねじ込みによって、面材脱落防止具(40)を取り付けるようにする。【選択図】  図１
2005163265.tif 000002
【特許請求の範囲】
【請求項１】
室外側の金属製框材と室内側の金属製框材とを断熱材を介して連結するか、又は、室外側の金属製框材と室内側の合成樹脂製框材とを連結してなる複数の断熱框を枠状に組み付けた障子枠内に、面材を嵌め込んで構成した断熱障子において、押出形材からなる前記金属製框材に、その長手方向に沿って形成したビスホール端部へのビスのねじ込みによって、火災時の前記断熱材又は合成樹脂製框材の軟化若しくは溶融に伴う前記面材の脱落を防止する面材脱落防止具を取り付けるようにしたことを特徴とする断熱障子の面材脱落防止構造。
【請求項２】
前記ビスは、一方の断熱框における金属製框材のビス挿入孔から差し込んで、他方の断熱框における金属製框材のビスホール端部へねじ込むことで、これら双方の断熱框の金属製框材同士を接続する組み付け用ビスである請求項１記載の断熱障子の面材脱落防止構造。
【請求項３】
前記一方の断熱框の内向き嵌合溝に、前記他方の断熱框の端部を挿入するとともに、前記面材脱落防止具の取り付け片を、前記嵌合溝における前記ビス挿入孔を有する底面と前記他方の断熱框における前記ビスホール端部が臨む端面との間に挟み込ませて、前記組み付け用ビスを前記取り付け片に貫通させるようにした請求項２記載の断熱障子の面材脱落防止構造。
【請求項４】
前記面材脱落防止具は、一対の側面片を底面片によって連結してなる本体部を備え、この本体部を、前記一対の側面片を互いに近接する方向に弾性変形させながら、前記断熱框における面材端部を嵌め込む内向きの面材装着溝に内嵌して、前記本体部の側面片間に面材端部を差し入れるようにした請求項１乃至３のいずれかに記載の断熱障子の面材脱落防止構造。
【請求項５】
前記障子枠は、横方向に沿った上下の断熱框と縦方向に沿った一対の断熱框を方形枠状に組み付けてなり、前記面材脱落防止具を、前記障子枠の四隅に配置した請求項１乃至４のいずれかに記載の断熱障子の面材脱落防止構造。
【請求項６】
室外側の金属製框材と室内側の金属製框材とを断熱材を介して連結するか、又は、室外側の金属製框材と室内側の合成樹脂製框材とを連結してなる複数の断熱框を枠状に組み付けた障子枠内に、面材を嵌め込んで構成した断熱障子に設けられて、火災時の前記断熱材又は合成樹脂製框材の軟化若しくは溶融に伴う前記面材の脱落を防止する面材脱落防止具であって、押出形材からなる前記金属製框材に、その長手方向に沿って形成したビスホール端部へのビスのねじ込みによって取り付けられる取り付け片を備えたことを特徴とする断熱障子の面材脱落防止具。
【請求項７】
前記断熱框における面材端部を嵌め込む内向きの面材装着溝に内嵌されて、面材端部を支持する本体部を備え、この本体部は、一対の側面片を底面片によって連結してなり、その底面片から前記取り付け片を延出した請求項６記載の断熱障子の面材脱落防止具。
【請求項８】
前記本体部は、一対の側面片を互いに近接する方向に弾性変形させた状態で前記面材装着溝に内嵌される請求項７記載の断熱障子の面材脱落防止具。
【発明の詳細な説明】
【技術分野】
【０００１】
この発明は、断熱構造の障子枠からの面材の脱落を防止するための断熱障子の面材脱落防止構造及び面材脱落防止具に関する。
【背景技術】
【０００２】
一般に、断熱障子では、図７に示すように、断熱框(１)(２)(３)…を方形枠状に組み付けた障子枠(４)内に、例えばペアガラス構造の面材(５)が嵌め込まれている。そして、断熱框(１)(２)(３)…は、例えば図８に示すように、室外側の金属製框材(６)と室内側の金属製框材(７)を熱絶縁樹脂からなる断熱材(８)(８)を介して連結した構造となっている。
【０００３】
このような断熱障子の場合、火災が発生して断熱材(８)(８)…が軟化若しくは溶融すると、例えば面材(５)の端部を嵌め込む面材装着溝(９)が変形したり、室内側の金属製框材(７)(７)…が外れる等して、面材(５)が脱落してしまい、これによって火災が延焼し易くなるといった危険性があった。
【０００４】
そこで、耐熱性に優れた面材脱落防止具(10)(10)…を障子枠(４)に設けて、この面材脱落防止具(10)(10)…によって面材(５)の端部を支持することで、火災時における面材(５)の脱落を防止した防火仕様のものがある。
【０００５】
面材脱落防止具(10)(10)…は、Ｌ形又はコ字形に形成されていて、障子枠(４)の面材装着溝(９)内に、例えば断熱框(１)(２)(３)…１本につき２箇所、合計８箇所においてビス(12)(12)…止めによって取り付けていることが多い。
【０００６】
しかし、このような防火仕様の断熱障子は、生産する断熱障子のうちの３割程度であることから、面材脱落防止具(10)(10)…の取り付け作業を自動化するにはコスト的に問題があり、主に手作業によって面材脱落防止具(10)(10)…を取り付けているのが現状である。
【０００７】
ところが、障子枠(４)における狭い面材装着溝(９)内に複数の専用のビス孔をあけて、面材脱落防止具(10)(10)…をビス(12)(12)…にて一々取り付ける作業は、非常に面倒であって、多くの時間と労力を要していた。
【０００８】
そこで、例えば特許文献１に開示されているように、障子枠の断熱框に形成されている既存のビスホールを利用して、このビスホールの一部を拡幅若しくは切削して、面材脱落防止具を直接取り付けることで、面材脱落防止具をビス止めしなくても済むようにしたものがある。
【０００９】
【特許文献１】特開２０００−２３４４８２号公報
【発明の開示】
【発明が解決しようとする課題】
【００１０】
しかしながら、上記の特許文献１に開示されている構造では、ビスホールの一部を拡幅したり、切削するいった面材脱落防止具を取り付けるための特別な作業が必要となり、依然として面材脱落防止具の取り付け作業が煩雑であった。
【００１１】
そこで、この発明は、上記の不具合を解消して、面材脱落防止具を取り付けるための専用のビス孔を形成したり、特別な作業を必要とすることなく、面材脱落防止具を簡単に取り付けることができる断熱障子の面材脱落防止構造及び面材脱落防止具の提供を目的とする。
【課題を解決するための手段】
【００１２】
上記の課題を解決するため、この発明の断熱障子の面材脱落防止構造は、室外側の金属製框材と室内側の金属製框材とを断熱材を介して連結するか、又は、室外側の金属製框材と室内側の合成樹脂製框材とを連結してなる複数の断熱框を枠状に組み付けた障子枠内に、面材を嵌め込んで構成した断熱障子において、押出形材からなる前記金属製框材に、その長手方向に沿って形成したビスホール端部へのビスのねじ込みによって、火災時の前記断熱材又は合成樹脂製框材の軟化若しくは溶融に伴う前記面材の脱落を防止する面材脱落防止具を取り付けるようにしたことを特徴とする。
【００１３】
具体的に、前記ビスは、一方の断熱框における金属製框材のビス挿入孔から差し込んで、他方の断熱框における金属製框材のビスホール端部へねじ込むことで、これら双方の断熱框の金属製框材同士を接続する組み付け用ビスである。
【００１４】
また、前記一方の断熱框の内向き嵌合溝に、前記他方の断熱框の端部を挿入するとともに、前記面材脱落防止具の取り付け片を、前記嵌合溝における前記ビス挿入孔を有する底面と前記他方の断熱框における前記ビスホール端部が臨む端面との間に挟み込ませて、前記組み付け用ビスを前記取り付け片に貫通させるようにしている。
【００１５】
さらに、前記面材脱落防止具は、一対の側面片を底面片によって連結してなる本体部を備え、この本体部を、前記一対の側面片を互いに近接する方向に弾性変形させながら、前記断熱框における面材端部を嵌め込む内向きの面材装着溝に内嵌して、前記本体部の側面片間に面材端部を差し入れるようにしている。
【００１６】
さらにまた、前記障子枠は、横方向に沿った上下の断熱框と縦方向に沿った一対の断熱框を方形枠状に組み付けてなり、前記面材脱落防止具を、前記障子枠の四隅に配置している。
【００１７】
この発明の面材脱落防止具は、室外側の金属製框材と室内側の金属製框材とを断熱材を介して連結するか、又は、室外側の金属製框材と室内側の合成樹脂製框材とを連結してなる複数の断熱框を枠状に組み付けた障子枠内に、面材を嵌め込んで構成した断熱障子に設けられて、火災時の前記断熱材又は合成樹脂製框材の軟化若しくは溶融に伴う前記面材の脱落を防止するものであって、押出形材からなる前記金属製框材に、その長手方向に沿って形成したビスホール端部へのビスのねじ込みによって取り付けられる取り付け片を備えたことを特徴とする。
【００１８】
具体的には、前記断熱框における面材端部を嵌め込む内向きの面材装着溝に内嵌されて、面材端部を支持する本体部を備え、この本体部は、一対の側面片を底面片によって連結してなり、その底面片から前記取り付け片を延出している。
【００１９】
さらに、前記本体部は、一対の側面片を互いに近接する方向に弾性変形させた状態で前記面材装着溝に内嵌されるようになっている。
【発明の効果】
【００２０】
この発明では、障子枠の組み立て時の作業でもあるビスホール端部へのビスのねじ込みによって、面材脱落防止具を障子枠の組み立てと同時に取り付けることができるので、専用のビス孔を形成したり、特別な作業を作業を強いられることなく、面材脱落防止具の取り付け作業を簡単に行うことができる。
【００２１】
また、面材脱落防止具の取り付け片を、相互に接続する断熱框間に挟み込ませることで、面材脱落防止具を安定して取り付けることができる。
【００２２】
さらに、面材脱落防止具の本体部を、その一対の側面片を互いに近接する方向に弾性変形させながら、断熱框の面材装着溝に内嵌することで、テープ等によって仮止めすることなく、本体部自体のばね性によって面材脱落防止具を断熱框に保持させることができ、面材脱落防止具の取り付け作業をより一層簡単にすることができる。
【００２３】
さらにまた、面材脱落防止具を、障子枠の四隅に取り付けることで、８箇所に取り付けていた従来と比べて、面材脱落防止具の個数を削減して、取り付け作業を軽減するとともに、コストダウンを図ることができる。
【発明を実施するための最良の形態】
【００２４】
この発明の一実施形態に係る断熱障子は、例えばスイング窓の障子として用いられるもので、図６に示すように、断熱構造の障子枠(20)内に例えばペアガラス構造の面材(21)を嵌め込むことによって構成されている。
【００２５】
障子枠(20)は、横方向に沿った上下の断熱框(22)(23)と縦方向に沿った一対の断熱框(24)(24)とを方形枠状に組み付けてなる。
【００２６】
これら断熱框(22)(23)(24)…は、図１及び図２に示すように、例えばアルミニウム製の押出形材からなる室外側と室内側の金属製框材(30)(31)を、熱絶縁樹脂からなる内周側及び外周側の断熱材(32)(33)を介して連結してなる。なお、断熱材(32)(33)は、帯板状に形成され、断熱框(22)(23)(24)…の長手方向の全長に亘って設けられている。
【００２７】
各断熱框(22)(23)(24)…の内周側には、面材(21)の端部を嵌め込む内向きの面材装着溝(34)が形成されている。また、上下の断熱框(22)(23)における室外側の金属製框材(30)には、その長手方向の全長に亘って略Ｃ字状のビスホール(35)が一体成形されていて、ビスホール(35)の端部が断熱框(22)(23)の端面に臨んでいる。さらに、縦方向の断熱框(24)(24)における室外側の金属製框材(30)(30)の上下端部には、ビス挿入孔(36)(36)が夫々形成されている。
【００２８】
上記構成の断熱障子は、次のように組み立てられている。すなわち、断熱框(22)(23)(24)…の面材装着溝(34)(34)…へ面材(21)の外周端部をグレチャン(37)を介して差し入れた状態で、上下の断熱框(22)(23)の両端部を、縦方向の断熱框(24)(24)の内向き嵌合溝すなわち面材装着溝(34)の上下端部に挿入する。
【００２９】
そして、縦方向の断熱框(24)(24)のビス挿入孔(36)(36)…から夫々差し込んだ組み付け用ビス(38)(38)…を、上下の断熱框(22)(23)のビスホール(35)(35)の端部へ夫々ねじ込むことで、断熱框(22)(23)(24)…の室外側の金属製框材(30)(30)…同士が相互に接続されて、断熱障子が組み立てられる。
【００３０】
この断熱障子においては、図６に示すように、火災時の断熱材(32)(33)の軟化若しくは溶融に伴う面材(21)の脱落を防止する面材脱落防止具(40)(40)…を、障子枠(20)の四隅に取り付けている。
【００３１】
面材脱落防止具(40)は、図１及び図２に示すように、薄肉金属板を折り曲げ加工することによって形成されており、面材(21)の端部を支持する本体部(41)と、この本体部(41)から延出した取り付け片(42)とを備えている。本体部(41)は、一対の側面片(43)(43)を底面片(44)によって連結することによって略コ字形に形成されている。そして、底面片(44)の開放側の一端部からは、側面片(43)(43)とは反対方向で、底面片(44)に対して略直角な方向に向かって取り付け片(42)が延出されている。
【００３２】
本体部(41)における一対の側面片(43)(43)は、それら先端部間の間隔が上下の断熱框(22)(23)における面材装着溝(34)の溝幅よりも大きくなっていて、互いに近接離間する方向に弾性を有している。また、取り付け片(42)には、組み付け用ビス(38)を貫通させるための一対のビス貫通孔(45)(45)が形成されている。
【００３３】
この面材脱落防止具(40)は、図１及び図３に示すように、その取り付け片(42)を上下の断熱框(22)(23)の端面(51)に被せるようにして、その本体部(41)が上下の断熱框(22)(23)における面材装着溝(34)に内嵌される。この内嵌状態において、一対の側面片(43)(43)は互いに近接する方向に弾性変形されて、面材装着溝(34)の側面(50)(50)を押圧しており、これによってテープ等による仮止めがなくても、面材脱落防止具(40)を断熱框(22)(23)に保持させることができる。また、このように面材装着溝(34)に内嵌した本体部(41)の側面片(43)(43)間に、面材(21)の端部が差し入れられるようになっている。
【００３４】
そして、障子枠(20)の組み付けに際して、上下の断熱框(22)(23)の端部を、縦方向の断熱框(24)(24)…の嵌合溝(34)に挿入したときには、図３に示すように、取り付け片(42)が上下の断熱框(22)(23)の端面(51)と面材装着溝(34)の底面(52)との間に挟み込まれるようになっている。このとき、ビスホール(35)の端部と取り付け片(42)の一方のビス貫通孔(45)とビス挿入孔(36)(36)とが一致するので、ビス挿入孔(36)(36)から差し込んだ組み付け用ビス(38)を、ビス貫通孔(45)を貫通させてビスホール(35)の端部にねじ込むことによって、横方向の断熱框(22)(23)における室外側の金属製框材(30)と縦方向の断熱框(24)(24)における室外側の金属製框材(30)によって取り付け片(42)が挟持された状態で、面材脱落防止具(40)が障子枠(20)に取り付けられるようになっている。
【００３５】
すなわち、何ら特別な作業を強いられることなく、障子枠(20)の組み立て時におけるビスホール(35)への組み付け用ビス(38)のねじ込み作業だけで、面材脱落防止具(40)を取り付けることができる。なお、面材脱落防止具(40)の肉厚は、断熱障子の完成寸法を変化させないほどの薄いものであるが、火災時の耐熱性は十分である。
【００３６】
このように構成された断熱障子においては、室外側の金属製框材(30)から室内側の金属製框材(31)への熱伝達、室内側の金属製框材(31)から室外側の金属製框材(30)への熱伝達が断熱材(32)(33)によって遮断されるので、ペアガラス構造の面材(21)による断熱効果と相俟って良好な断熱性能を発揮することができる。
【００３７】
また、火災発生時において断熱材(32)(33)が軟化若しくは溶融して、断熱框(22)(23)(24)…の面材装着溝(34)(34)…が変形したり、図５に示すように室内側の金属製框材(31)(31)…が外れ落ちることがあっても、火災時に脱落することのない室外側の金属製框材(30)(30)…に取り付けられた面材脱落防止具(40)(40)…によって、面材(21)の脱落が防止される。
【００３８】
この発明は、上記実施形態に限定されるものではなく、この発明の範囲内で上記実施形態に多くの修正及び変更を加え得ることは勿論である。
【００３９】
例えば、この発明の断熱障子は、上記実施形態のようなスイング窓の障子だけに限らず、引違い窓やその他各種の窓の障子として用いるものであっても良い。
【００４０】
さらに、障子枠の各断熱框は、上記実施形態のような室外側と室内側の金属製框材を断熱材を介して連結した構造のものだけに限らず、室外側の金属製框材と室内側の合成樹脂製框材とを連結してなる構造のものであっても良い。
【００４１】
また、上記実施形態において、面材脱落防止具は、室外側の金属製框材のビスホールへの組み付け用ビスのねじ込みによって、室外側の金属製框材に固定していたが、火災時に脱落しない金属製框材に固定すれば良いので、例えば室内側の金属製框材が火災時に脱落しないのであれば、室内側の金属製框材に形成したビスホールへの組み付け用ビスのねじ込みによって、室内側の金属製框材に固定するようにしても良い。
【００４２】
さらに、上記実施形態において、面材脱落防止具は、その本体部を横方向に沿った上下の断熱框の面材装着溝に内嵌した状態で取り付けられるが、本体部を縦方向に沿った断熱框の面材装着溝に内嵌した状態で取り付けるようにしても良い。
【図面の簡単な説明】
【００４３】
【図１】この発明の一実施形態に係る断熱障子における縦方向の断熱框と下側の断熱框との接続部分の分解斜視図である。
【図２】同じくその脱落防止具を取り付ける前の状態を示す分解斜視図である。
【図３】同じくその正面断面図である。
【図４】同じく側断面図である。
【図５】同じくその室内側の金属製框材が脱落した状態の側断面図である。
【図６】断熱障子の正面図である。
【図７】従来の断熱障子の正面図である。
【図８】従来の断熱障子における縦方向の断熱框と下側の断熱框との接続部分の斜視図である。
【符号の説明】
【００４４】
(20)  障子枠
(21)  面材
(22)(23)(24)  断熱框
(30)  室外側の金属製框材
(31)  室内側の金属製框材
(32)(33)  断熱材
(34)  面材装着溝(嵌合溝)
(35)  ビスホール
(36)  ビス挿入孔
(38)  組み付け用ビス
(40)  面材脱落防止具
(41)  本体部
(42)  取り付け片
(43)  側面片
(44)  底面片
(45)  ビス貫通孔
【図１】
2005163265.tif 000003
【図２】
2005163265.tif 000004
【図３】
2005163265.tif 000005
【図４】
2005163265.tif 000006
【図５】
2005163265.tif 000007
【図６】
2005163265.tif 000008
【図７】
2005163265.tif 000009
【図８】
2005163265.tif 000010